(57)【要約】【課題】  静電霧化装置６により発生された静電霧化ミストをヘアドライヤー１の本体部１０から吐出される空気流中に効率的に分散させ、静電霧化ミストを毛髪に均一に噴霧することを可能にして、毛髪のトリートメントなどに要する時間を短縮する。【解決手段】  静電霧化装置６を構成するタンク６１を本体部１０の外周部近傍に着脱可能に設けると共に、静電霧化ミストを発生させる電極部６０を、本体部１０の内部に吸引された空気流の流路中に、断熱材５０により加熱部５の熱から遮断されるように設ける。さらに、静電霧化ミストを噴出させる静電霧化ミスト噴射口７０を、本体部１０の空気吐出口１４とほぼ同面で、かつそのほぼ中心に配置する。静電霧化ミスト噴射口７０から噴射される静電霧化ミストは、空気吐出口１４から吐出される空気流中に効率良く分散される。【選択図】図１
2006087836.tif 000002
【特許請求の範囲】
【請求項１】
空気吸引口及び空気吐出口を有する本体部と、
前記本体部の内部に設けられ、前記空気吸引口から前記本体部の内部に空気を吸引し、前記本体部の内部で空気流を発生させて、前記空気吐出口から空気流を吐出させる送風手段と、
前記送風手段により発生される空気流の一部又は全部を加熱する加熱手段と、
少なくとも液体を貯蔵するタンク、前記タンクから供給された液体を静電霧化して、静電霧化ミストを発生させる静電霧化ミスト発生手段と、前記静電霧化ミストを噴出させる静電霧化ミスト噴射口を有する静電霧化装置を備え、
前記静電霧化ミスト噴射口は、前記送風手段により発生される空気流の流路中に設けられ、前記静電霧化ミスト噴射口から噴射される静電霧化ミストが前記空気吐出口から吐出される空気流中に分散されることを特徴とする静電霧化ヘアドライヤー。
【請求項２】
前記静電霧化ミスト噴射口は、前記送風手段により発生される空気流の方向において、前記空気吐出口とほぼ同面に設けられ、
前記空気吐出口に異物侵入防止部材が設けられ、
前記静電霧化装置の前記静電霧化ミスト噴射口部が前記異物侵入防止部材に保持されていることを特徴とする請求項１記載の静電霧化ヘアドライヤー。
【請求項３】
前記静電霧化ミスト噴射口に、さらに帯電防止処理が施された異物侵入防止部材が設けられていることを特徴とする請求項２記載の静電霧化ヘアドライヤー。
【請求項４】
前記送風手段により発生された空気流の一部が前記静電霧化装置に導入され、導入された空気により、前記静電霧化ミストを噴出させることを特徴とする請求項１乃至３のいずれかに記載の静電霧化ヘアドライヤー。
【請求項５】
前記静電霧化装置に導入される空気流は、前記加熱手段により加熱される以前の空気流であることを特徴とする請求項４記載の静電霧化ヘアドライヤー。
【発明の詳細な説明】
【技術分野】
【０００１】
本発明は、温風や冷風を吐出して毛髪の乾燥やセットを行なうヘアドライヤーに関し、特に、静電霧化ミストを噴射させて毛髪のトリートメントを行なうことが可能な静電霧化ヘアドライヤーに関する。
【背景技術】
【０００２】
従来から、毛細管などの給水体に高電圧を印加することにより、微細な霧状の水（以下、「静電霧化ミスト」とする）を飛散させる静電霧化技術が知られている。例えば特許文献１では、この静電霧化技術をヘアドライヤーに応用して、静電霧化ミストを毛髪に噴射することにより、毛髪の水分保持性を向上させ、髪にまとまり感やつやを与えるという効果を得ている。
【０００３】
しかしながら、特許文献１に記載された従来の静電霧化ヘアドライヤーでは、静電霧化装置をヘアドライヤー本体の外側に設けているために、ヘアドライヤー本体から吐出される空気流中に静電霧化ミストを効率的に分散させることができず、短時間の内に静電霧化ミストを毛髪に均一に噴霧することが困難である。そのため、毛髪のトリートメントなどに要する時間が長くなり、局部的に毛髪の過乾燥な状態が生じる可能性を有していた。
【特許文献１】特開２００２−１５１１４６号公報
【発明の開示】
【発明が解決しようとする課題】
【０００４】
本発明は、上記の問題を解決するためになされたものであり、静電霧化装置により発生された静電霧化ミストをヘアドライヤー本体から吐出される空気流中に効率的に分散させ、静電霧化ミストを毛髪に均一に噴霧することを可能にして、毛髪のトリートメントなどに要する時間を短縮することが可能な静電霧化ヘアドライヤーを提供することを目的とする。
【課題を解決するための手段】
【０００５】
上記目的を達成するために請求項１の発明は、静電霧化ヘアドライヤーであって、
空気吸引口及び空気吐出口を有する本体部と、
前記本体部の内部に設けられ、前記空気吸引口から前記本体部の内部に空気を吸引し、前記本体部の内部で空気流を発生させて、前記空気吐出口から空気流を吐出させる送風手段と、
前記送風手段により発生される空気流の一部又は全部を加熱する加熱手段と、
少なくとも液体を貯蔵するタンク、前記タンクから供給された液体を静電霧化して、静電霧化ミストを発生させる静電霧化ミスト発生手段と、前記静電霧化ミストを噴出させる静電霧化ミスト噴射口を有する静電霧化装置を備え、
前記静電霧化ミスト噴射口は、前記送風手段により発生される空気流の流路中に設けられ、前記静電霧化ミスト噴射口から噴射される静電霧化ミストが前記空気吐出口から吐出される空気流中に分散されることを特徴とする。
【０００６】
請求項２の発明は、請求項１の静電霧化ヘアドライヤーにおいて、前記静電霧化ミスト噴射口は、前記送風手段により発生される空気流の方向において、前記空気吐出口とほぼ同面に設けられ、前記空気吐出口に異物侵入防止部材が設けられ、前記静電霧化装置の前記静電霧化ミスト噴射口部が前記異物侵入防止部材に保持されていることを特徴とする。
【０００７】
請求項３の発明は、請求項２の静電霧化ヘアドライヤーにおいて、前記静電霧化ミスト噴射口に、さらに帯電防止処理が施された異物侵入防止部材が設けられていることを特徴とする。
【０００８】
請求項４の発明は、請求項１乃至３のいずれかの静電霧化ヘアドライヤーにおいて、前記送風手段により発生された空気流の一部が前記静電霧化装置に導入され、導入された空気により、前記静電霧化ミストを噴出させることを特徴とする。
【０００９】
請求項５の発明は、請求項４の静電霧化ヘアドライヤーにおいて、前記静電霧化装置に導入される空気流は、前記加熱手段により加熱される以前の空気流であることを特徴とする。
【発明の効果】
【００１０】
請求項１の発明によれば、静電霧化ミスト噴射口は、本体部の内部で発生される空気流の流路中に設けられ、静電霧化ミスト噴射口から噴射される静電霧化ミストが空気吐出口から吐出される空気流中に分散されるので、静電霧化装置がヘアドライヤー本体の外側に設けられた従来の静電霧化ヘアドライヤーに比べて、ヘアドライヤー本体部から吐出される空気流中に静電霧化ミストを効率的に分散させることができる。そのため、短時間の内に静電霧化ミストを毛髪に均一に噴霧することができ、毛髪のトリートメントなどに要する時間を短くしたり、局部的な毛髪の過乾燥状態の発生を防止したりすることができる。その結果、短時間の内に効率良く毛髪表面にトリートメント効果を与え、毛髪につやと潤いを与えることが可能な静電霧化ヘアドライヤーを提供することができる。
【００１１】
請求項２の発明によれば、空気吐出口に異物侵入防止部材が設けられているので、異物が本体内部に侵入することによる感電や発火などを防止することができる。また、静電霧化ミスト噴射口は、空気吐出口とほぼ同面に設けられ、静電霧化装置の静電霧化ミスト噴射口部が異物侵入防止部材に保持されているので、空気吐出口から吐出される空気流中に、静電霧化装置によるエアーポケットが生じ、エアーポケットに生じる負圧により、静電霧化ミスト噴射口から噴射される静電霧化ミストが、空気流中に効率良く分散される。さらに、静電霧化ミスト噴射口に異物侵入防止部材を設けない場合は、異物侵入防止部材が帯電することによる静電霧化ミスト発生手段の対向電極側先端への電界集中が減少することがないので、静電霧化ミストの粒子径が大きくなることもなく、発生静電霧化ミスト数が減少することもない。そのため、毛髪表面のトリートメント効果が減少することを防止することができる。
【００１２】
請求項３の発明によれば、例えば、静電霧化装置を複数箇所に設けるなど、静電霧化ミスト噴射口に異物侵入防止部材を設ける必要がある場合において、表面に帯電防止材料を塗布したり接地したりすることによって、異物侵入防止部材に帯電防止処理を施すことにより、静電霧化ミスト発生手段の対向電極側先端への電界集中の減少を防止している。そのため、請求項２の場合と同様の効果が得られる。
【００１３】
請求項４の発明によれば、送風手段により発生された空気流の一部を静電霧化装置に導入し、導入された空気により静電霧化ミストを噴出させるので、静電霧化装置により発生された静電霧化ミストを効率良く押し出し、静電霧化ミストが対向電極付近で消失されることを防止し、静電霧化ミスト噴射口から噴射される静電霧化ミストを空気吐出口から吐出される空気流中に分散させることができる。
【００１４】
請求項５の発明によれば、静電霧化装置に導入される空気流として、加熱手段により加熱される以前の空気流を用いているので、加熱手段からの熱による液体の膨張に起因する液体の漏れを防止すると共に、静電霧化ミストの蒸発を防止することができる。その結果、短時間の内に静電霧化ミストを毛髪に均一に噴霧することができ、効率良く毛髪表面にトリートメント効果を与えることができる。
【発明を実施するための最良の形態】
【００１５】
本発明の第１実施形態に係る静電霧化ヘアドライヤーについて説明する。図１は、第１実施形態に係る静電霧化ヘアドライヤー１の構成を示す断面図である。
【００１６】
静電霧化ヘアドライヤー１（以下、単に「ヘアドライヤー１」とする）は、本体部１０と、本体部１０に対して所定の角度をなすように設けられたグリップ部２０などで構成されている。本体部１０の内部で、かつグリップ部２０との分岐部近傍には、モータ及びファンなどで構成された送風部（送風手段）４が設けられている。また、本体部１０の後端（図中左端）には、空気吸引口１３が形成されており、安全のために指や異物などが入らないように格子が設けられている。本体部１０の内部で、かつ送風部４に対して空気流の下流側には、ヒータなどで構成された加熱部（加熱手段）５及び後述する静電霧化装置６が設けられている。空気吐出口１４にも、安全のために指や異物などが入らないように格子が設けられている。このように、空気吸引口１３及び空気吐出口１４に格子などの異物侵入防止部材を設けることにより、異物の挿入による感電や発火などを防止することができる。
【００１７】
また、グリップ部２０には、送風のオン／オフ、冷風と温風の切り換え、温風の強弱の切り換えを行うためのスライド式スイッチ２１や、静電霧化ミストの噴射のオン／オフを切り換えるためのプッシュスイッチ２２が設けられている。スライドスイッチ２１をオンすることにより、送風部４のファンが回転し、空気吸引口１３から空気が送風部４に吸引される。温風が選択されている場合、送風部４により吸引され、本体部１０の内部で発生された空気流は加熱部５側に送出され、その一部又は全てが加熱部５を通過する際にヒータにより加熱され、温風となり空気吐出口１４から吐出される。また、プッシュスイッチ２２をオンすることにより、静電霧化ミストの噴射が選択されている場合は、静電霧化装置６からさらに静電霧化ミストが噴射され、空気吐出口１４から吐出される空気流中に効率的に分散されて、ユーザの毛髪などに吹き付けられる。
【００１８】
静電霧化装置６は、静電霧化ミストを発生させるための中心電極６５及び対向電極６６を有する電極部（静電霧化ミスト発生手段）６０と、水などの液体６３を貯蔵するタンク６１と、液体６３をタンク６１から電極部に供給するためのパイプなどの液体供給管６４と、中心電極６５と対向電極６６との間に所定の電圧を印加するための高電圧発生回路６７などで構成されている。電極部６０は、断熱材５０によって加熱部５から遮断されており、加熱部５のほぼ中心部を貫通するように設けられている。このように、断熱材５０により、加熱部５からの熱による電極部６０の温度上昇を抑制することにより、電極部６０で発生された静電霧化ミストが蒸発することを防止することができる。静電霧化ミスト噴射口７０は、送風部４により発生される空気流の方向において、空気吐出口１４と空気流の方向に直交するほぼ同面（同位置）に設けられ、かつ空気吐出口１４の開口部のほぼ中央に位置する。なお、静電霧化ミスト噴射口７０は、必ずしも空気吐出口１４とほぼ同面に設ける必要はなく、それよりも若干上流側あるいは下流側であってもよい。
【００１９】
タンク６１は本体部１０に対して着脱可能である。本体部１０には、タンク６１を装着するためのタンク装着部１１及びその蓋１２が設けられている。液体供給管６４は、タンク装着部１１の底部と、電極部６０の中心電極６５との間を接続するように設けられている。また、タンク６１には、液体６３をタンク６１内に注入するための液体注入口６２及びタンク６１内の液体６３を液体供給管６４に供給するための液体吐出口６８が設けられている。
【００２０】
指や異物が電極部６０の内部に入らないようにするために、静電霧化ミスト噴射口７０にも、格子などの異物侵入防止部材が設けられている。但し、静電霧化ミスト噴射口７０に異物侵入防止部材を設けると、異物侵入防止部材が帯電し、高電圧を印加している対向電極６６側への電界集中が減少し、静電霧化ミストの粒子径が大きくなり、発生される静電霧化ミスト数が減少する。そのため、静電霧化ミストを毛髪に噴射することにより、毛髪の水分保持性を向上させ、髪にまとまり感やつやを与えるという効果が得られにくくなる。そこで、静電霧化ミスト噴射口７０に設けられた異物侵入防止部材が帯電しないように、帯電防止対策が施されている。具体的には、静電霧化ミスト噴射口７０に設けられた格子の表面に、例えば、シリコン系、有機ホウ素系、高分子型の樹脂系などの帯電防止材を塗布している。または、格子自体を接地させてもよい。あるいは、対向電極６６に対して、中心電極６５に印加されている電圧よりも十分に低い電圧を印加してもよい。
【００２１】
一方、静電霧化ミスト噴射口７０に格子などの異物侵入防止部材を設けず、静電霧化ミスト噴射口７０から指や異物などが入らないようにするために、静電霧化ミスト噴射口７０の一部又は全部に、３〜７ｍｍ程度に開口部隙間を狭めた部位を設けてもよい。なお、空気吐出口１４からの送風に静電霧化ミストを効率的に分散させるために、静電霧化ミスト噴射口７０は空気吐出口１４より下流部側に突出していることが望ましいが、空気吐出口１４と同一面上や上流部側にあってもよい。
【００２２】
静電霧化装置６のタンク６１は、熱による液体６３の膨張及びそれに伴う液体６３の漏れを防止するために、加熱部５による熱の影響を受けにくい箇所に設けることが好ましく、第１実施形態では、図１に示すように、加熱部５よりも空気流路の上流側に設けている。しかしながら、本発明はこのような構成に限定されるものではなく、加熱部５よりも空気流路の上流側でなくても、断熱材により遮断された部位にタンク６１を設けてもよい。あるいは、タンク６１自体を断熱材で構成してもよい。これらの場合、タンク６１の設置場所は、加熱部５の周辺や加熱部５の内部、加熱部５より空気流路の下流側に設けることも可能である。
【００２３】
タンク６１への液体６３の補充を容易にするために、図１に示すように、タンク６１をヘアドライヤー１の本体部１０の上部にタンク装着部１１を設け、タンク６１を着脱可能にしている。タンク６１を着脱可能とする場合、タンク装着部１１は図示した位置に限定されず、本体部１０の下部や側部などに設けてもよい。しかしながら、タンク６１は、必ずしも着脱可能である必要はなく、本体部１０にタンク６１を固定してもよい。その場合、タンク６１への液体６３の補充を容易にするために、本体部１０の上部、下部又は側部など、外部に面した部位にタンク６１の液体注入口６２設けることが好ましい。さらに、タンク６１は、本体部１０の外部に面しない位置に設けることも可能であり、その場合、タンク６１の液体注入口６２と本体部１０の外周部に設けられた液体注入口とをつなぐ液体流入経路を設ければよい。さらに、タンク６１の位置にかかわらず、タンク６１自体又は液体流入経路の一部に、液体６３の漏れ出しを防止するための蓋や逆止弁を設けてもよい。また、タンク６１から電極部６０へ液体６３を供給するための液体供給管６４や上記タンク６１と本体部１０の外周部とをつなぐ液体流入経路にフェルトなどを併用してもよい。
【００２４】
さらに、ヘアドライヤー１は、様々な角度で使用されるため、タンク６１の脱落を防止するなどのために、タンク装着部１１の蓋１２にロック機構を設けてもよい。あるいは、タンク装着部１１にタンク６１を固定するためのインターロック機構を設けてもよい。また、タンク装着部１１にゴムなどのパッキンで構成された圧入部を設け、タンク６１をこの圧入部に圧入して固定してもよい。なお、蓋１２を省略し、タンク６１を直接本体部１０の外周部に着脱可能に設ける場合も同様である。
【００２５】
さらに、タンク６１を省略し、本体部１０の外周部と電極部６０をつなぐ液体流入経路をタンク６１の代用として使用することも可能である。その場合、中心電極６５として、セラミック、フェルト、金属のメッシュ構造のような多孔体のものを使用することにより、中心電極６５を、液体を蓄えるための貯液部の一部として使用することが可能である。
【００２６】
電極部６０の中心電極６５に対して高電圧発生回路６７から電圧を印加するには、電線などを介して中心電極６５に直接電圧を印加する方法の他、タンク６１の内部の液体６３や液体供給管６４の内部の液体を介して電圧を印加する方法などが考えられる。対向電極６６には、高電圧発生回路６７で発生され中心電極６５に印加される電圧よりも十分に低い電圧が印加されるが、高電圧発生回路６７の低電圧側の電圧を印加してもよいし、それ以外にも、ヘアドライヤー１に入力される商用電源の電圧を直接印加したり、あるいは商用電源の電圧をさらに変圧して印加したりしてもよい。
【００２７】
本発明の第２実施形態に係る静電霧化ヘアドライヤーについて説明する。図２は、第２実施形態に係るヘアドライヤー１の構成を示す断面図である。第２実施形態では、電極部６０とタンク６１とを一体化すると共に、本体部１０に対して着脱可能にしたものである。
【００２８】
図２に示すように、電極部６０とタンク６１とを一体化し、本体部１０に対して着脱可能なカートリッジ７を形成する。さらに、カートリッジ７には、上記第１実施形態と同様に、帯電防止処理が施された静電霧化ミスト噴射口７０が装着されている。中心電極６５は、電極部６０とタンク６１の間の隔壁を貫通するように設けられているので、第１実施形態で述べた液体供給管６４や液体流入経路を省略することができる。一方、中心電極６５に対して高電圧発生回路６７から電圧を印加すると共に、対向電極６６に所定の電圧を印加するために、導体６９Ａ及び６９Ｂなどが設けられている。導体６９Ａ及び６９Ｂとしては、板バネ電極のような接触型の端子や、差込型の端子などを用いることができる。さらに、高電圧発生回路６７も脱着式としてもよい。その場合、高電圧発生回路６７の１次側への入力端子として、同様に、接触型や差込型の端子などを用いることができる。
【００２９】
このように、電極部６０、タンク６１及び静電霧化ミスト噴射口７０をカートリッジ７として一体化し、ヘアドライヤー１の本体部１０に対して着脱可能とすることにより、タンク６１に液体６３を容易に充填することができると共に、静電霧化ミスト噴射口７０に付着した埃などを容易に除去することができる。さらに、長期間の使用により、電極部６０の中心電極６５などにカルシウムなどが析出することもあり得るが、析出したカルシウムなども比較的容易に除去することができる。
【００３０】
図３にカートリッジ７の他の構成例を示す。図２に示す構成例では、液体注入口６２をタンク６１の後端面に設けているが、図３に示す構成例では、液体注入口６２をタンク６１の側面に設けている。カートリッジ７の紙面に垂直な方向の断面形状は、特に限定されないが、製造の容易さなどを効力すると、略円形又は略矩形が好ましい。図２に示す構成例は、カートリッジ７の断面が略円形の場合に適し、図３に示す構成例は、カートリッジ７の断面が略矩形の場合に適する。
【００３１】
図４は、上記第１及び第２実施形態に係るヘアドライヤー１の本体部１０の正面図である。図１及び図２に示す第１及び第２実施形態では、電極部６０が本体部１０の正面視略中央に設けられている。特に、電極部６０、タンク６１及び静電霧化ミスト噴射口７０がカートリッジ７として一体化され、ヘアドライヤー１の本体部１０に対して着脱可能と下第２実施形態では、空気吐出口１４の格子を取り外し可能又は開閉可能な構造にすることにより、カートリッジ７の着脱を容易にすることができる。あるいは、空気吐出口１４の格子をカートリッジ７の静電霧化ミスト噴射口７０よりも、空気流の上流側に設けることによっても、同様に、カートリッジ７の着脱を容易にすることができる。
【００３２】
また、図５に示すようなヘアドライヤー１の本体部１０の上部、あるいは下部や側部など、本体部１０の外周部に面した位置にカートリッジ７を設けてもよい。その場合、本体部１０の上部、下部又は側部などからカートリッジ７を脱着することも可能である。さらに、第１実施形態のように、電極部６０及び静電霧化ミスト噴射口７０を本体部１０に固定し、タンク６１のみを脱着可能としてもよい。あるいは、タンク６１も本体部１０に固定し、本体部１０の外周面に液体注入口６２を設けてもよい。
【００３３】
図６及び図７は、それぞれ電極部６０及び静電霧化ミスト噴射口７０（カートリッジ７の場合を含む）を２カ所及び３カ所に設けた構成例を示す。その場合、電極部６０及び静電霧化ミスト噴射口７０を等角度に配置して、ヘアドライヤー１から吐出される空気流中に均一に分散させることが好ましい。しかしながら、タンク６１からの液体供給又は高電圧発生回路６７からの電圧印加などの構造上、２以上の電極部６０及び静電霧化ミスト噴射口７０を隣接させることも考えられる。その場合、対向電極６６を共通のものとするように構成してもよい。また、電極部６０及び静電霧化ミスト噴射口７０の数に応じて複数のタンク６１を設けてもよいが、１つのタンク６１から複数の液体供給管６４を介して液体を電極部６０に供給するように構成してもよい。
【００３４】
次に、本発明の第３実施形態に係る静電霧化ヘアドライヤーについて説明する。図８は、第３実施形態に係るヘアドライヤー１の構成を示す断面図である。第３実施形態では、送風部４により発生された空気流の一部を断熱材５０の内側に通し、加熱部５により加熱されることなく通過させている。そのため、図９に示すように、温風の内側に冷風、さらにその内側に静電霧化ミストが発生される構造となる。このように、加熱部５によって加熱されていない冷風を、電極部６０の外側を通過させることにより、温風による温度上昇に伴う液体の膨張によって、内部の液体が液体供給管６４から漏れ出すことを防止すると共に、電極部６０で発生された静電霧化ミストが蒸発することを防止することができる。
【００３５】
さらに、電極部６０にスリットなどを設け、断熱材５０の内側を通過する冷風の一部を電極部６０内に引き込むように構成してもよい。後者の場合、さらに電極部６０内に引き込まれた空気流によって、電極部６０で発生された静電霧化ミストが静電霧化ミスト噴射口７０から外部に押し出される。その結果、電極部６０で発生された静電霧化ミストが対向電極６６付近で消失されることなく、静電霧化ミストがヘアドライヤー１の本体部１０の空気吐出口１４から吐出される空気流中に効率的に分散される。
【００３６】
次に、本発明の第４実施形態に係る静電霧化ヘアドライヤーについて説明する。第４実施形態は、ブラシつきのヘアドライヤーに関するものである。図１０は、第４実施形態に係るブラシ付きヘアドライヤー３の構成を示す断面図である。ブラシ付きヘアドライヤー３は、送風部４及び加熱部５が設けられた本体部３０に対してブラシ部４０がアタッチメントとして着脱可能に装着されている。静電霧化装置６は、断熱材５０による熱から遮断されるように、ブラシ部４０の内部に設けられている。また、電極部６０及び静電霧化ミスト噴射口７０は、ブラシ４１の略中央部に設けられている。
【００３７】
なお、電極部６０及び静電霧化ミスト噴射口７０の位置は、ブラシ部４０の略中央部に限定されず、ブラシ部４０の先端部や根元部など、断熱材５０により遮断された部位であればブラシ部４０の内部の様々な場所に設置することが可能である。また、電極部６０及び静電霧化ミスト噴射口７０の数に関しても、例えば、ブラシ部４０の先端と根元の両方など、複数箇所に設置することも可能である。
【００３８】
図１１に示す構成例は、ブラシ部４０の内部のほぼ中央に筒状の断熱材５０を設け、断熱材５０の内部に静電霧化装置６を設けている。また、本体部３０の加熱部５に対向する位置にも筒状の断熱材５０を設けており、送風部４により発生された空気流の一部を断熱材５０の内側に通し、加熱部５により加熱されることなく通過させている。そして、本体部３０から吐出される冷風をブラシ部４０内の断熱材の内側に導入している。このような構成により、上記第３実施形態と同様に、断熱材５０の内側を通過する空気流により静電霧化ミスト噴射口７０付近に発生される負圧により、電極部６０で発生された静電霧化ミストが静電霧化ミスト噴射口７０から外部に吸い出される。また、電極部６０にスリットなどを設け、断熱材５０の内側を通過する冷風の一部を電極部６０内に引き込むように構成してもよい。その場合、さらに電極部６０内に引き込まれた空気流によって、電極部６０で発生された静電霧化ミストが静電霧化ミスト噴射口７０から外部に押し出される。その結果、静電霧化ミスト噴射口７０から外部噴射される静電霧化ミストが、ブラシ４１の間から吐出される空気流中に効率的に分散される。
【００３９】
図１２に示す構成例では、本体部３０の加熱部５に対向する位置に筒状の断熱材５０を設け、断熱材５０の内部に静電霧化装置６を設けている。また、ブラシ部４０は、ブラシ４１の略中央部に設けられた静電霧化ミスト噴射口７０と、本体部３０側の断熱材５０の吐出部と静電霧化ミスト噴射口７０とをつなぐ略Ｊ字状の断熱材５１を備えている。なお、断熱材５１に帯電防止材を塗布したり、断熱材５１を接地したりするなどして、帯電を抑制することが好ましい。このような構成によれば、静電霧化装置６が本体部３０側に設けられているので、アタッチメントとして様々な形状のブラシ部４０が使用された場合であっても、静電霧化ミストが効率的に分散された空気流を吐出させることができる。
【図面の簡単な説明】
【００４０】
【図１】本発明の第１実施形態に係る静電霧化ヘアドライヤーの一構成例を示す断面図。
【図２】本発明の第２実施形態に係る静電霧化ヘアドライヤーの一構成例を示す断面図。
【図３】第２実施形態におけるカートリッジの他の構成例を示す断面図。
【図４】第１及び第２実施形態に係る静電霧化ヘアドライヤーの正面図。
【図５】第１及び第２実施形態に係る静電霧化ヘアドライヤーの別の構成例を示す正面図。
【図６】第１及び第２実施形態に係る静電霧化ヘアドライヤーのさらに別構成例を示す正面図。
【図７】第１及び第２実施形態に係る静電霧化ヘアドライヤーのさらに別構成例を示す正面図。
【図８】本発明の第３実施形態に係る静電霧化ヘアドライヤーの一構成例を示す断面図。
【図９】第３実施形態に係る静電霧化ヘアドライヤーにより吐出される温風、冷風及び静電霧化ミストの流路を示す正面図。
【図１０】本発明の第４実施形態に係る静電霧化ヘアドライヤーの一構成例を示す断面図。
【図１１】第４実施形態に係る静電霧化ヘアドライヤーの別の構成例を示す断面図。
【図１２】第４実施形態に係る静電霧化ヘアドライヤーのさらに別の構成例を示す断面図。
【符号の説明】
【００４１】
１  静電霧化ヘアドライヤー
３  ブラシ付きヘアドライヤー
４  送風部（送風手段）
５  加熱部（加熱手段）
６  静電霧化装置
７  カートリッジ
１０  本体部
１１  タンク装着部
１２  （タンク装着部の）蓋
１３  空気吸引口
１４  空気吐出口
２０  グリップ部
２１  スイッチ
３０  本体部
４０  ブラシ部
４１  ブラシ
５０、５１  断熱材
６０  電極部（静電霧化ミスト発生手段）
６１  タンク
６２  液体注入口
６３  液体
６４  液体供給管
６５  中心電極
６６  対向電極
６７  高電圧発生回路
６８  液体吐出口
６９Ａ、６９Ｂ  導体
７０  静電霧化ミスト噴射口
【図１】
2006087836.tif 000003
【図２】
2006087836.tif 000004
【図３】
2006087836.tif 000005
【図４】
2006087836.tif 000006
【図５】
2006087836.tif 000007
【図６】
2006087836.tif 000008
【図７】
2006087836.tif 000009
【図８】
2006087836.tif 000010
【図９】
2006087836.tif 000011
【図１０】
2006087836.tif 000012
【図１１】
2006087836.tif 000013
【図１２】
2006087836.tif 000014